(57)【要約】本開示は、ビーム失敗検出方法、情報配置方法、端末及びネットワーク機器を開示した。本発明のビーム失敗検出方法は、ビーム失敗検出のための配置情報を受信するステップと、配置情報に基づいて、対象ビームに対応するビーム失敗検出のタイマー及び／又はカウンタに対してプリセット操作を行うステップと、を備え、対象ビームは、端末がサポートするビームの何れか１つ、または端末がサポートする帯域幅部分ＢＷＰに対応するビームである。【選択図】図１
2021519030.tif 000002
【特許請求の範囲】
【請求項１】
端末側で用いられるビーム失敗検出方法であって、
ビーム失敗検出のための配置情報を受信するステップと、
前記配置情報に基づいて、対象ビームに対応するビーム失敗検出のタイマー及び／又はカウンタに対してプリセット操作を行うステップと、を備え、
前記対象ビームは、端末がサポートするビームの何れか１つ、または端末がサポートする帯域幅部分ＢＷＰに対応するビームである、
ビーム失敗検出方法。
【請求項２】
前記配置情報がネットワーク機器に最初で配置される場合、前記配置情報は、
タイマー情報と、
カウンタ情報と、
前記タイマー情報に対応するＢＷＰ識別情報と、
前記カウンタ情報に対応するＢＷＰ識別情報と、
前記タイマー情報に対応するビーム識別情報と、
前記カウンタ情報に対応するビーム識別情報と、
の少なくとも１つを含む、
請求項１に記載のビーム失敗検出方法。
【請求項３】
前記ビーム識別情報は、同期信号ブロックＳＳＢ識別情報、チャネル状態情報基準信号ＣＳＩ−ＲＳ識別情報、ビーム間の空間関係配置識別情報のうちの少なくとも１つを含む、
請求項２に記載のビーム失敗検出方法。
【請求項４】
前記ＢＷＰ識別情報が示すＢＷＰは、活性化ＢＷＰまたは非活性化ＢＷＰであり、
前記ビーム識別情報が示すビームは、サービングビームまたは非サービングビームである、
請求項２に記載のビーム失敗検出方法。
【請求項５】
前記配置情報に基づいて、対象ビームに対応するビーム失敗検出のタイマー及び／又はカウンタに対してプリセット操作を行うステップは、
物理層が前記対象ビームにビーム失敗インスタンスが発生したことを検出した場合、前記物理層を制御してビーム失敗指示情報を上位層に送信するステップと、
前記上位層は、前記ビーム失敗指示情報を受信すると、前記配置情報に基づいて、対象ビームに対応するビーム失敗検出のタイマー及び／又はカウンタに対してプリセット操作を行うステップとを含む、
請求項１または２に記載のビーム失敗検出方法。
【請求項６】
前記ビーム失敗指示情報は、前記対象ビームに対応するＢＷＰ識別情報、及び前記対象ビームのビーム識別情報のうち少なくとも１つを含む、
請求項５に記載のビーム失敗検出方法。
【請求項７】
前記配置情報に基づいて、対象ビームに対応するビーム失敗検出のタイマー及び／又はカウンタに対してプリセット操作を行うステップは、
前記対象ビームにビーム失敗インスタンスが発生したことを検出した場合、前記対象ビームに対応するタイマーを起動または再起動するステップと、
前記対象ビームにビーム失敗インスタンスが発生したことを検出した場合、対象ビームに対応するカウンタを＋１または−１するように制御するステップと、を含む
請求項１または２に記載のビーム失敗検出方法。
【請求項８】
前記配置情報がネットワーク機器に再度配置される場合、前記配置情報は、
削除または追加されたセル識別情報と、
削除または追加されたＢＷＰ識別情報と、
削除または追加されたビーム識別情報と、
前記配置情報を削除する指示情報と、
前記配置情報を追加する指示情報と、
前記配置情報における目標パラメータ値の更新情報と、
ＢＷＰの変更を行う指示情報と、
ビームの変更を行う指示情報と、
の少なくとも１つを含む、
請求項１に記載のビーム失敗検出方法。
【請求項９】
前記配置情報に基づいて、対象ビームに対応するビーム失敗検出のタイマー及び／又はカウンタに対してプリセット操作を行うステップは、
前記配置情報に基づいて、前記対象ビームに対応するビーム失敗検出のタイマーが、
前記タイマーを起動すること、
前記タイマーを再始動すること、及び
前記タイマーを停止すること、
のうちの１つを実行する、
請求項８に記載のビーム失敗検出方法。
【請求項１０】
前記配置情報に基づいて、対象ビームに対応するビーム失敗検出のタイマー及び／又はカウンタに対してプリセット操作を行うステップは、
前記配置情報に基づいて、前記ビームに対応するビーム失敗検出のカウンタをリセットする、
請求項８に記載のビーム失敗検出方法。
【請求項１１】
端末であって、
ビーム失敗検出のための配置情報を受信するための受信モジュールと
前記配置情報に基づいて、対象ビームに対応するビーム失敗検出のタイマー及び／又はカウンタに対してプリセット操作を行うための処理モジュールと、を備え、
前記対象ビームは、前記端末がサポートするビームの何れか１つ、または前記端末がサポートする帯域幅部分ＢＷＰに対応するビームである、
端末。
【請求項１２】
プロセッサと、
メモリと、
前記メモリに記憶され、前記プロセッサで実行可能なプログラムと
を有する端末であって、
前記プログラムが前記プロセッサによって実行されるとき、請求項１〜１０のいずれか１項に記載のビーム失敗検出方法のステップが実現される、
端末。
【請求項１３】
ネットワーク機器側で用いられる情報配置方法であって、
ビーム失敗検出のための配置情報を送信するステップを備え、
前記配置情報は、対象ビームに対応するビーム失敗検出のタイマー及び／又はカウンタを指示するための情報であり、
前記対象ビームは、端末がサポートするビームの何れか１つ、または端末がサポートする帯域幅ＢＷＰに対応するビームである、
情報配置方法。
【請求項１４】
前記配置情報がネットワーク機器に最初で配置される場合、前記配置情報は、
タイマー情報と、
カウンタ情報と、
前記タイマー情報に対応するＢＷＰ識別情報と、
前記カウンタ情報に対応するＢＷＰ識別情報と、
前記タイマー情報に対応するビーム識別情報と、
前記カウンタ情報に対応するビーム識別情報と、
の少なくとも１つを含む、
請求項１３に記載の情報配置方法。
【請求項１５】
前記配置情報がネットワーク機器に再度配置される場合、前記配置情報は、
削除または追加されたセル識別情報と、
削除または追加されたＢＷＰ識別情報と、
削除または追加されたビーム識別情報と、
前記配置情報を削除する指示情報と、
前記配置情報を追加する指示情報と、
前記配置情報における目標パラメータ値の更新情報と、
ＢＷＰの変更を行う指示情報と、
ビームの変更を行う指示情報と、
の少なくとも１つを含む、
請求項１３に記載の情報配置方法。
【請求項１６】
ビーム失敗検出のための配置情報を送信する送信モジュールを備え、
前記配置情報は、対象ビームに対応するビーム失敗検出のタイマー及び／又はカウンタを指示する情報であり、
前記対象ビームは、端末がサポートするビームの何れか１つ、または端末がサポートする帯域幅ＢＷＰに対応するビームである、
ネットワーク機器。
【請求項１７】
プロセッサと、
メモリと、
前記メモリに記憶され、前記プロセッサで実行可能なプログラムと
を有するネットワーク機器であって、
前記プログラムが前記プロセッサによって実行されるとき、請求項１３〜１５のいずれか１項に記載の情報配置方法のステップが実現される、
ネットワーク機器。
【請求項１８】
プロセッサによって実行されるとき、請求項１〜１０のいずれか１項に記載のビーム失敗検出方法、又は請求項１３〜１５のいずれか１項に記載の情報配置方法のステップが実現されるプログラムが記憶されているコンピュータ読み取り可能な記憶媒体。
【発明の詳細な説明】
【技術分野】
【０００１】
本出願は、２０１８年４月１６日に中国に出願された中国特許出願第２０１８１０３３８７６８．８号の優先権を主張し、その内容の全てが参照によって本出願に取り込まれる。
本開示は、通信技術の分野に関し、特に、ビーム失敗検出方法、情報配置方法、端末及びネットワーク機器に関する。
【背景技術】
【０００２】
第５世代（５ｔｈ  Ｇｅｎｅｒａｔｉｏｎ，５Ｇ）移動通信システム、又はＮＲ（Ｎｅｗ  Ｒａｄｉｏ）システムにおいて、サポートされる作業周波数帯域は、６ＧＨｚ以上になり、最高で約１００ＧＨｚまで上げられる。高周波数帯は、より豊富なアイドル周波数リソースを有し、データ送信のためにより大きなスループットを提供することができる。ダウンリンク伝送速度２０Ｇｂｐｓ、アップリンク伝送速度１０Ｇｂｐｓを実現するために、高周波アンテナと、より大規模でより多くのアンテナポートのＭＩＭＯ技術が導入される。高周波信号は波長が短く、低周波数帯域に比べて、同じ大きさのパネルにより多くのアンテナ素子を配置することができ、ビームフォーミング技術を利用して、より指向性が強く、より狭いローブのビームを形成する。大規模（Ｍａｓｓｉｖｅ）ＭＩＭＯ技術は、大規模アンテナ素子を利用し、システム帯域の利用効率を大きく向上させ、より多くのアクセスユーザをサポートすることができる。
【０００３】
高周波数帯の通信システムでは、無線信号の波長が短いため、信号伝搬が阻害されるなどして、信号伝搬が途切れてしまうことが比較的生じやすい。従来技術の無線リンク再構築を用いる場合、時間がかかるため、ビーム失敗回復（ＢＦＲ：Ｂｅａｍ  Ｆａｉｌｕｒｅ  Ｒｅｃｏｖｅｒｙ）メカニズムが導入される。
【０００４】
また、５Ｇシステムにおいて、端末は比較的狭い動作帯域（例えば、５ＭＨｚ）のみをサポートするが、ネットワーク機器側のセルは比較的広い帯域（例えば、１００ＭＨｚ）をサポートしている場合、広い帯域のうち、端末が動作する狭い帯域を帯域部分（Ｂａｎｄｗｉｄｔｈ  Ｐａｒｔ，ＢＷＰ）と認定する。ネットワーク機器側は、１つ以上のＢＷＰをサポートできるように端末を配置し、ＢＷＰ切り替えコマンドにより、現在活性化されているＢＷＰを切り替える。すなわち、新しいＢＷＰを活性化し、現在活性化されているＢＷＰを非活性化させる。加えて、５Ｇシステムにおいて、端末は複数のビームをサポートすることもできる。
【０００５】
現在のビーム失敗検出過程では、端末は、各セルに対して１つのみのビーム失敗検出タイマーとカウンタを維持するので、端末が複数のＢＷＰのうち、どのＢＷＰに対応するビームを検出したか、または複数のビームのうち、どのビームにビーム失敗インスタンスが発生したかに関わらず、いずれも、ビーム失敗検出カウンタを１だけインクリメントするように制御する。例えば、端末がビーム１とビーム２に対応するようにし、ビーム１が動作した場合、端末はビーム１にビーム失敗インスタンスが発生したことを４回検出し、ビーム２へ切り替え、ビーム２が動作した場合、端末はさらにビーム２にビーム失敗が発生したことを１回検出すると、端末は、ビーム失敗検出カウンタを５回カウントするように制御し、ビーム失敗イベントが発生したと判断する。実際には、ビーム２にビーム失敗インスタンスが発生した回数が少ないほど、そのビーム品質は良好であるが、端末が従来のビーム失敗検出メカニズムを採用した場合、ビーム１とビーム２のいずれも利用不可能であると誤って確定することがあり、ビーム失敗検出結果の正確度は低い。
【発明の概要】
【発明が解決しようとする課題】
【０００６】
本開示の実施形態は、ビーム失敗検出方法、情報配置方法、端末、及びネットワーク機器を提供して、従来技術におけるビーム失敗検出の精度が低いという問題を解決する。
【課題を解決するための手段】
【０００７】
第１の様態によると、本開示は、端末側で用いられるビーム失敗検出方法であって、
ビーム失敗検出のための配置情報を受信するステップと、
配置情報に基づいて、対象ビームに対応するビーム失敗検出のタイマー及び／又はカウンタに対してプリセット操作を行うステップと、を備え、
対象ビームは、端末がサポートするビームの何れか１つ、または端末がサポートする帯域幅部分ＢＷＰに対応するビームである、
ビーム失敗検出方法を提供する。
【０００８】
第２の様態によると、本開示は、ビーム失敗検出のための配置情報を受信するための受信モジュールと
配置情報に基づいて、対象ビームに対応するビーム失敗検出のタイマー及び／又はカウンタに対してプリセット操作を行うための処理モジュールと、を備え、
対象ビームは、端末がサポートするビームの何れか１つ、または端末がサポートする帯域幅部分ＢＷＰに対応するビームである、
端末を提供する。
【０００９】
第３の様態によると、本開示は、プロセッサと、メモリと、メモリに記憶され、プロセッサで実行可能なプログラムとを有する端末であって、プログラムがプロセッサによって実行されるとき、上記のビーム失敗検出方法のステップが実現される、端末を提供する。
【００１０】
第４の様態によると、本開示は、ネットワーク機器側で用いられる情報配置方法であって、
ビーム失敗検出のための配置情報を送信するステップを備え、
配置情報は、対象ビームに対応するビーム失敗検出のタイマー及び／又はカウンタを指示するための情報であり、
対象ビームは、端末がサポートするビームの何れか１つ、または端末がサポートする帯域幅ＢＷＰに対応するビームである、
情報配置方法を提供する。
【００１１】
第５の様態によると、本開示は、ビーム失敗検出のための配置情報を送信する送信モジュールを備え、
配置情報は、対象ビームに対応するビーム失敗検出のタイマー及び／又はカウンタを指示する情報であり、
対象ビームは、端末がサポートするビームの何れか１つ、または端末がサポートする帯域幅ＢＷＰに対応するビームである、
ネットワーク機器を提供する。
【００１２】
第６の様態によると、本開示は、プロセッサと、メモリと、メモリに記憶され、プロセッサで実行可能なプログラムとを有するネットワーク機器であって、プログラムがプロセッサによって実行されるとき、上記の情報配置方法のステップが実現される、ネットワーク機器を提供する。
【００１３】
第７の様態によると、本開示は、プロセッサによって実行されるとき、上記のビーム失敗検出方法、又は上記の情報配置方法のステップが実現されるプログラムが記憶されているコンピュータ読み取り可能な記憶媒体を提供する。
【発明の効果】
【００１４】
このように、本開示の実施例では、ネットワーク機器が端末に配置したビーム失敗検出のタイマー及び/又はカウンタが対象ビームに対応するため、ビーム失敗検出の正確性を向上させ、利用可能なビームが利用不可能であると誤って判定することによるリソースの浪費を回避することができる。
【００１５】
以下、本開示における技術案をより明確的に説明するため、本開示の実施形態の説明に必要な図面を簡単に紹介するが、以下の説明における図面は、本開示のいくつかの実施形態にすぎず、当業者にとって、これらの図面から、創造的な作業を必要とせず、他の図面も得られることは明らかである。
【図面の簡単な説明】
【００１６】
【図１】本開示の実施例におけるビーム失敗検出方法のフローチャートを示す。
【図２】本開示の実施例における端末のモジュール構成を示す模式図。
【図３】本開示の実施例の端末ブロック図を示す。
【図４】本開示の実施例における情報配置方法のフローチャートを示す。
【図５】本開示の実施例におけるネットワーク機器のモジュール構成を示す模式図。
【図６】本開示の実施例のネットワーク機器ブロック図を示す。
【発明を実施するための形態】
【００１７】
以下、本発明の実施例について図面を参照して詳細に説明する。本発明の実施例を図面に例示したが、本発明は、多様な形態で実現されることができ、本発明は、ここで説明する実施例に限定されるものではない。むしろ、これらの実施例は、本開示のより完全な理解を可能にし、本開示の範囲を当業者に完全に伝えるために提供される。
【００１８】
本出願の明細書及び特許請求の範囲における用語「第１の」、「第２の」等は、類似した対象を区別するために使用され、特定の順番又は順序を説明するために使用される必要はない。このように使用されるデータは、本明細書に記載される本発明の実施例が、例えば、本明細書に図示又は記載されたもの以外の順序で実施され得るように、適宜交換され得ることが理解されるべきである。さらに、「含む」及び「有する」という用語ならびにそれらの任意の変形は、非排他的な包含を意味し、例えば、一連のステップまたはユニットを含むプロセス、方法、システム、製品または装置は、必ずしも当該ステップまたはユニットが明確に列挙されたもののみに限定されず、明確に列挙されていない、プロセス、方法、製品または装置に固有の他のステップまたはユニットも含むことができるという意味である。
【００１９】
本開示の実施例は、図１に示すように、端末側で用いられるビーム失敗検出方法を提供し、この方法は、以下のステップ１１及び１２を含む。
【００２０】
ステップ１１：ビーム失敗検出のための配置情報を受信する。
高周波数帯の通信システムでは、信号の伝搬が阻害されるなどして、信号の伝搬が途切れてしまうことが比較的容易に起こり得る。伝送リンクを迅速に回復させるために、ＢＦＲメカニズムを導入した。具体的には、ＢＦＲメカニズムは、ビーム失敗検出、新しい候補ビーム識別、ビーム失敗回復請求（ＢＥＲＱ：Ｂｅａｍ  Ｆａｉｌｕｒｅ  Ｒｅｃｏｖｅｒｙ  ｒｅｑｕｅｓｔ）の送信、及びビーム失敗回復請求に基づくネットワーク機器の応答情報の監視を含む。ここで、ビーム失敗検出は、具体的には、端末が物理層でビーム失敗検出基準信号（ＢＦＤ  ＲＳ：Ｂｅａｍ  Ｆａｉｌｕｒｅ  Ｄｅｔｅｃｔｉｏｎ  Ｒｅｆｅｒｅｎｃｅ  Ｓｉｇｎａｌ）を測定し、測定結果に基づいてビーム失敗イベントが発生したか否かを判断する。ここで、端末がビーム失敗イベントが発生する条件を判断することは、全てのサービス制御ビーム（ｓｅｒｖｉｎｇ  ｃｏｎｔｒｏｌ  ｂｅａｍ）のメトリック（ｍｅｔｒｉｃ）がプリセット条件を満たすことを検出した場合、例えば、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）のブロック誤り率（Ｂｌｏｃｋ  Ｅｒｒｏｒ  Ｒａｔｉｏ、ＢＬＥＲ）がプリセット閾値を超える場合、１回のビーム失敗インスタンス（ｂｅａｍ  ｆａｉｌｕｒｅ  ｉｎｓｔａｎｃｅ）として確定し、端末の物理層が例えばメディアアクセス制御層（Ｍｅｄｉａ  Ａｃｃｅｓｓ  Ｃｏｎｔｒｏｌ、ＭＡＣ）層のような上位層に周期的に１つの指示を報告することを含む。これに対し、端末の物理層がビーム失敗インスタンスが発生していないと判断した場合、上位層に指示を送信しない。端末の上位層は、物理層から報告された指示をカウンタを用いて計数し、ネットワーク設定の最大回数に到達すると、端末はビーム失敗イベント（ｂｅａｍ  ｆａｉｌｕｒｅ  ｅｖｅｎｔ）が発生したと特定する。ビーム失敗検出のための配置情報は、ビーム失敗検出過程に関わるパラメータ情報を含む。例えば、配置情報は、少なくとも、ビーム失敗検出のための参照信号構成（例えば、失敗検出リソース（ｆａｉｌｕｒｅ  Ｄｅｔｅｃｔｉｏｎ  Ｒｅｓｏｕｒｃｅｓ））、ビーム失敗検出のためのカウンタ構成（例えば、ビーム失敗インスタンス最大回数（ｂｅａｍ  Ｆａｉｌｕｒｅ  Ｉｎｓｔａｎｃｅ  Ｍａｘ  Ｃｏｕｎｔ））、ビーム失敗検出のためのタイマー構成（ｂｅａｍ  Ｆａｉｌｕｒｅ  Ｄｅｔｅｃｔｉｏｎ  Ｔｉｍｅｒ）などを含む。
【００２１】
ステップ１２：配置情報に基づいて、対象ビームに対応するビーム失敗検出のタイマー及び／又はカウンタに対してプリセット操作を行う。
ここで、対象ビームは、端末がサポートするビームの何れか１つ、または端末がサポートする帯域幅部分ＢＷＰに対応するビームである。すなわち、配置情報中のビーム失敗検出のためのタイマーは、端末がサポートするビームの１つに対応し、または、端末がサポートするＢＷＰに対応するビームに対応する。配置情報におけるビーム失敗検出のためのカウンタは、端末がサポートするビームの１つに対応するか、または、端末がサポートするＢＷＰに対応のビームに対応する。このように、ビーム失敗検出のためのタイマー及び／又はタイマーは、より少ない数のビームに対応し、ビーム失敗検出の正確率を向上させ、利用可能なビームが利用不可能であると誤判定されることによるリソースの浪費を回避することができる。
【００２２】
本実施例では、ビーム失敗検出方法について、異なるシナリオを用いてさらに説明する。
シナリオ１において、配置情報がネットワーク機器の最初の配置である場合、すなわち、ネットワーク機器が初めてビーム失敗検出のために端末に配置された配置情報である場合、配置情報は、
例えば失敗検出インスタンスの最大回数のような、ビーム失敗検出のタイマー構成を指示するためのタイマー情報と、
例えば失敗検出時間のような、ビーム失敗検出のカウンタ構成を指示するためのカウンタ情報と、
タイマー情報に対応するＢＷＰを指示するための、タイマー情報に対応するＢＷＰ識別情報（そのうち、１つのＢＷＰは１つの独立したタイマーに対応し、異なるＢＷＰに対応するタイマーの数値は同じであってもよいし、異なっていてもよい。）と、
カウンタ情報に対応するＢＷＰを指示するための、カウンタ情報に対応するＢＷＰ識別情報（そのうち、１つのＢＷＰは１つの独立したカウンタに対応し、異なるＢＷＰに対応するカウンタの数値は同じであってもよいし、異なっていてもよい。すなわち、異なるＢＷＰに対応するビーム失敗検出インスタンスの最大回数は同じであってもよいし、異なっていてもよい。）と、
タイマー情報に対応するビームを指示するための、タイマー情報に対応するビーム識別情報、言い換えれば、ビーム失敗検出配置情報におけるビーム失敗検出タイマー構成に対応するビーム識別子（そのうち、１つのビームは１つの独立したタイマーに対応し、異なるビームに対応するタイマーの数値は同じであってもよいし、異なっていてもよい。）と、
カウンタ情報に対応するビームを指示するための、カウンタ情報に対応するビーム識別情報、言い換えれば、ビーム失敗検出配置情報におけるビーム失敗検出カウンタ構成に対応するビーム識別子（そのうち、１つのビームは１つの独立したカウンタに対応し、異なるビームに対応するカウンタの数値は同じであってもよいし、異なっていてもよい。すなわち、異なるビームに対応するビーム失敗検出インスタンスの最大回数は同じであってもよいし、異なっていてもよい。）と、
のうちの少なくとも１つを含むことができる。
【００２３】
ここで、ビーム識別情報は、
例えばＳＳＢ識別子のような同期信号ブロック（Ｓｙｎｃｈｒｏｎｏｕｓ  Ｓｉｇｎａｌ  Ｂｌｏｃｋ、ＳＳＢ）識別情報と、
例えばＣＳＩ−ＲＳ識別のようなチャネル状態情報基準信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ）識別情報と、
ビーム間の空間的関係配置識別情報と、
の少なくとも１つを含むことができる。
【００２４】
空間的関係配置情報は、伝送構成インジケーター情報（Ｔｒａｎｓｍｉｓｓｉｏｎ  Ｃｏｎｆｉｇｕｒａｔｉｏｎ  Ｉｎｄｉｃａｔｏｒ、ＴＣＩ）または擬似コロケーション（Ｑｕａｓｉ−ｃｏ  Ｌｏｃａｔｉｏｎ、ＱＣＬ）関係情報を含むが、これらに限定されない。ここで、擬似コロケーション関係は、異なるビーム間のドップラー周波数オフセット、ドップラー拡散、平均遅延、遅延拡散、及び空間受信パラメータのうちの少なくとも１つが擬似コロケーションにあることを指示する。ここで、ＱＣＬ−Ｔｙｐｅ  Ａは、ドップラー周波数オフセット、ドップラー拡散、平均遅延及び遅延拡散が擬似コロケーションであるかまたは同一であることを指示するために使用され、ＱＣＬ−Ｔｙｐｅ  Ｂは、ドップラー周波数オフセット及びドップラー拡散が擬似コロケーションであるかまたは同一であることを指示するために使用され、ＱＣＬ−Ｔｙｐｅ  Ｃは、ドップラー周波数オフセット及び平均遅延が擬似コロケーションであるかまたは同一であることを指示するために使用され、ＱＣＬ−Ｔｙｐｅ  Ｄは、空間受信パラメータが擬似コロケーションであるかまたは同一であることを指示するために使用される。
【００２５】
ここで、上記ＢＷＰ識別情報が指示するＢＷＰは、活性化ＢＷＰまたは非活性化ＢＷＰであり、上記ビーム識別情報が指示するビームは、サービングビーム（または活性化ビームとも呼ばれる）または非サービングビーム（または非活性化ビームとも呼ばれる）である。
このシナリオにおいて、ステップ１２は、物理層に対象ビームのビーム失敗インスタンスが検出された場合、ビーム失敗指示情報を上位層に送信するように物理層を制御するステップと、ビーム失敗指示情報を受信した後、配置情報に基づいて、対象ビームに対応するビーム失敗検出のタイマー及び／又はカウンタに対してプリセット操作を行うステップと、を含むことができる。端末は、物理層においてＢＦＤ  ＲＳを測定し、測定結果に基づいてビーム失敗イベントが発生したか否かを判断する。端末がビーム失敗イベントの発生条件を判断することは、対象ビームのメトリックがプリセット条件を満たすと検出される場合、例えばＰＤＣＣＨのＢＬＥＲがプリセット閾値を超える場合、１回のビーム失敗インスタンスとして確定し、端末の物理層が上位層に１つのビーム失敗指示情報を周期的に報告することを含み、そのうち、当該上位層はＭＡＣ層であってもよい。このように、端末の上位層は、物理層が報告した指示をカウンタ（counter）でカウントし、タイマーで計時する。
【００２６】
ここで、上位層がタイマーをメンテナンスする形態は、限定されないが、
各活性化セルが独立したビーム失敗検出タイマーに対応するのように、セルごとに１つのビーム失敗検出タイマーをメンテナンスする形態、
あるいは、各活性化（または非活性化）ＢＷＰが独立したビーム失敗検出タイマーに対応するように、ＢＷＰごとに１つのビーム失敗検出タイマーをメンテナンスする形態、
あるいは、サービス（または非サービス）ビームごとに独立したビーム失敗検出タイマーが対応するように、ビームごとに１つのビーム失敗検出タイマーをメンテナンスする形態、
を含む。
【００２７】
なお、端末の上位層におけるビーム失敗検出タイマーとビーム失敗検出カウンタのメンテナンス方式は同じであり、例えば、ＢＷＰごとに１つの独立したビーム失敗検出タイマーをメンテナンスする場合、それに応じて、各ＢＷＰも１つの独立したビーム失敗検出カウンタをメンテナンスする。
【００２８】
さらに、端末の物理層が上位層へ送信するビーム失敗指示情報は、
ビーム失敗インスタンスが発生した対象ビームに対応するＢＷＰ識別子を指示するための、対象ビームに対応するＢＷＰ識別情報と、
ビーム失敗インスタンスが発生した対象ビームインスタンスのビーム識別子を指示するための、対象ビームのビーム識別情報と、
の少なくとも１つを含むことができる。
【００２９】
オプションとして、このシナリオでは、配置情報に基づいて、対象ビームに対応するビーム失敗検出のためのタイマー及び／又はカウンタに対してプリセット操作を行うステップは、限定されていないが、以下の内容を含むことができる。
対象ビームにビーム失敗インスタンスが発生したことが検出された場合、対象ビームに対応するタイマーを起動または再起動させる。オプションとして、端末は、物理層でＢＦＤ  ＲＳを測定し、対象ビームのメトリックがプリセット条件を満たすことが検出された場合、例えばＰＤＣＣＨのＢＬＥＲがプリセット閾値を超える場合、１回のビーム失敗インスタンスとして確定し、端末の物理層は上位層に１つのビーム失敗指示情報を報告する。このように、端末の上位層は、対象ビームに対応するタイマーを起動または再起動し、一定時間内にタイマーがタイムアウトと、ビーム失敗イベントが発生していないと判断し、対象ビームに対応するカウンタをリセットする。例えば、対象ビームに対応するカウンタを０に設定したり、最大値に設定する。
１つのＢＷＰが１つの独立したタイマーに対応する場合を例にすると、端末の上位層は、ビーム失敗指示情報から特定したＢＷＰ識別情報が指示するＢＷＰとビーム失敗検出タイマーに対応するＢＷＰとが同一である場合、当該ビーム失敗指示情報を受信した後、当該ビーム失敗検出タイマーを起動または再起動させる。
１つのビームが１つの独立したタイマーに対応する場合を例にすると、端末の上位層は、ビーム失敗指示情報から特定したビーム識別情報が指示するビームとビーム失敗検出タイマーに対応するビームとが同一である場合、当該ビーム失敗指示情報を受信した後、当該ビーム失敗検出タイマーを起動または再起動させる。
【００３０】
一方、対象ビームにビーム失敗インスタンスが発生したことを検出した場合には、対象ビームに対応するカウンタを＋１または−１する。端末は、物理層でＢＦＤ  ＲＳを測定し、対象ビームのメトリックがプリセット条件を満たすと検出した場合、１回のビーム失敗インスタンスとして確定し、端末の物理層が上位層に１つのビーム失敗指示情報を報告する。仮に、タイマーの初期値が０であり、端末の上位層は、物理層のビーム失敗指示情報を受信した後、対象ビームに対応するカウンタを＋１するように制御するとすると、対象ビームに対応するタイマーがタイムアウトする前に、カウンタが最大値に到達すると、ビーム失敗イベントが発生したと確定し、そうでない場合は、ビーム失敗イベントが発生していないとみなし、カウンタをリセットする。または、仮に、タイマーの初期値が最大値であり、端末の上位層が物理層のビーム失敗指示情報を受信した後、対象ビームに対応するカウンタをデクリメントするように制御するとすると、対象ビームに対応するタイマーがタイムアウトする前に、カウンタが０であれば、ビーム失敗イベントが発生したと確定し、そうでない場合は、ビーム失敗イベントは発生していないとみなし、カウンタをリセットする。端末がビーム失敗イベントが発生したと確定した後、ビーム失敗回復手順がトリガーされる。
【００３１】
１つのＢＷＰが１つの独立したカウンタに対応する場合を例にすると、端末の上位層は、ビーム失敗指示情報から特定したＢＷＰ識別情報が指示するＢＷＰとビーム失敗検出カウンタに対応するＢＷＰとが同一である場合、当該ビーム失敗指示情報を受信した後、ビーム失敗検出カウンタをカウントアップ又はカウントダウンするように制御する。
１つのビームが１つの独立したカウンタに対応する場合を例にすると、端末の上位層は、ビーム失敗指示情報から特定したビーム識別情報が指示するビームとビーム失敗検出カウンタに対応するビームとが同一である場合、当該ビーム失敗指示情報を受信した後、ビーム失敗検出カウンタをカウントアップ又はカウントダウンするように制御する。
【００３２】
シナリオ２において、配置情報がネットワーク機器に再度配置された場合、すなわち、ネットワーク機器がビーム失敗検出のための配置情報を最初に端末に配置するのではない場合、当該再度配置プロセスは、ビーム失敗検出のための配置の更新プロセスである。例えば、ビーム失敗検出のためのある配置情報を削除もしくは追加するか、または、前回の配置情報における１つ以上のパラメータを再度配置するなどである。リソースオーバーヘッドを低減するために、配置情報には、変動のあるパラメータのみが携帯され、全ての構成が携帯される必要はない。オプションとして、配置情報は、
同じ１つの無線リソース制御（Ｒａｄｉｏ  Ｒｅｓｏｕｒｃｅ  Ｃｏｎｔｒｏｌ，ＲＲＣ）配置メッセージからセルを削除または追加するような、当該ビーム失敗検出の配置に対応するセルを削除して再追加することを指示するために用いられる削除または追加されたセル識別情報と、
同じＲＲＣ配置メッセージからＢＷＰを削除又は追加するような、当該ビーム失敗検出の配置に対応するＢＷＰを削除し再追加することを指示するために用いられる削除又は追加されたＢＷＰ識別情報と、
同じＲＲＣの配置メッセージからビームを削除または追加するような、当該ビーム失敗検出の配置に対応するビームを削除して追加することを指示するために用いられる削除または追加されたビーム識別情報と
のうちの少なくとも１つを含むことができる。
【００３３】
配置情報を削除する指示情報は、元の配置情報を削除することを指示するために用いられる。
配置情報を追加する指示情報は、元の配置情報に新たな配置情報を追加することを指示するものである。
配置情報における目標パラメータ値の更新情報は、元の配置情報において変更が必要な目標パラメータ及び変更後の目標パラメータ値の更新情報は、例えば、タイマーの時間長を変更したり、カウンタの最大値を変更したりすることなど、元の配置情報に変更が必要な目標パラメータ及び変更後の目標パラメータ値を指示するために用いられる。
ＢＷＰの変更を行う指示情報は、端末に対してＢＷＰの変更を指示するために用いられる。ここで、ＢＷＰ変更方式には、ＢＷＰのスイッチング、すなわち、１つのＢＷＰを活性化し、同時に他の１つのＢＷＰを非活性化すること、あるいは、あるビーム失敗検出タイマーに対応するＢＷＰを非活性化にするか、あるいは、あるビーム失敗検出タイマーに対応のＢＷＰを活性化にすることなどが含まれるが、これに限定されない。
【００３４】
また、ビームの変更を行う指示情報は、端末に対してビーム変更を指示するために用いられる。ここで、ビーム変更方式は、ＰＤＣＣＨ又はＭＡＣ  ＣＥを介して新たなサービス（又は活性化）を指示するビーム識別子などの、サービス（又は活性化）を指示するビーム識別子変更指示情報をネットワーク機器が端末に送信することを含むが、これに限定されない。
このシナリオでは、ステップ１２は、上述の配置情報（再度配置）に従って、対象ビームに対応するビーム失敗検出のためのタイマーに対して、タイマーを起動すること、タイマーを再起動すること、及びタイマーを停止することのうちの１つを実行することを含む。
これに対応して、ステップ１２は、上記の配置情報（再度配置）に従って、対象ビームに対応するビーム失敗検出のカウンタをリセットすることをさらに含むことができる。例えば、カウンタ値を０に設定するか、又は最大値に設定することができる。
【００３５】
本開示の実施例に係るビーム失敗検出方法では、端末に配置されたビーム失敗検出タイマー及び／又はカウンタが対象ビームに対応し、ビーム失敗検出の正確率を向上させ、利用可能なビームが利用不可能であると誤判断されることによるリソースの浪費を避けることができる。
【００３６】
上記の実施例は、異なるシナリオにおけるビーム失敗検出方法をそれぞれ詳しく説明したが、下記の実施例は、さらに、それに対応する端末を図面と組み合わせて説明する。
図２に示すように、本開示の実施例に係る端末２００は、上記実施例におけるビーム失敗検出のための配置情報を受信して、当該配置情報に基づいて、端末がサポートするビームの何れか１つ、または、端末がサポートする帯域幅ＢＷＰの部分に対応するビームである対象ビームに対応するビーム失敗検出のタイマー及び／又はカウンタに対してプリセット操作を行うための方法の詳細を実現し、同様な効果を奏する。端末２００は、具体的には、
ビーム失敗検出のための配置情報を受信するための受信モジュール２１０と、
配置情報に基づいて、端末がサポートするビームの何れか１つ、または、端末がサポートする帯域幅ＢＷＰの部分に対応するビームである対象ビームに対応するビーム失敗検出のタイマー及び／又はカウンタに対してプリセット操作を行うための処理モジュール２２０と、
を備える。
【００３７】
ここで、配置情報がネットワーク機器に最初で配置される場合、配置情報は、
タイマー情報と、
カウンタ情報と、
タイマー情報に対応するＢＷＰ識別情報と、
カウンタ情報に対応するＢＷＰ識別情報と、
タイマー情報に対応するビーム識別情報と、
カウンタ情報に対応するビーム識別情報と、
の少なくとも１つを含む。
【００３８】
ここで、ビーム識別情報は、同期信号ブロックＳＳＢ識別情報、チャネル状態情報基準信号ＣＳＩ−ＲＳ識別情報、ビーム間の空間関係配置識別情報のうちの少なくとも１つを含む。
ここで、ＢＷＰ識別情報が示すＢＷＰは、活性化ＢＷＰまたは非活性化ＢＷＰであり、ビーム識別情報が示すビームは、サービングビームまたは非サービングビームである。
ここで、処理モジュール２２０は、
物理層が対象ビームにビーム失敗インスタンスが発生したことが検出された場合、ビーム失敗指示情報を上位層に送信するように物理層を制御する第１の処理サブモジュールと、
ビーム失敗指示情報を受信した後、配置情報に基づいて、対象ビームに対応するビーム失敗検出のタイマー及び／又はカウンタに対してプリセット操作を行う第２の処理サブモジュールと、を備える。
ここで、ビーム失敗指示情報は、対象ビームに対応するＢＷＰ識別情報、及び対象ビームのビーム識別情報のうち少なくとも１つを含む。
【００３９】
ここで、処理モジュール２２０は、さらに、
対象ビームに発生したビーム失敗インスタンスが検出された場合、対象ビームに対応するタイマーを起動または再起動するための第３の処理サブモジュールと、
対象ビームに発生したビーム失敗インスタンスが検出された場合、対象ビームに対応するカウンタを＋１または−１するように制御する第４の処理サブモジュールと、を備える。
ここで、配置情報がネットワーク機器に再度配置される場合、配置情報は、
削除または追加されたセル識別情報と、
削除または追加されたＢＷＰ識別情報と、
削除または追加されたビーム識別情報と、
配置情報を削除する指示情報と、
配置情報を追加する指示情報と、
配置情報における目標パラメータ値の更新情報と、
ＢＷＰの変更を行う指示情報と、
ビームの変更を行う指示情報と、
の少なくとも１つを含む。
【００４０】
ここで、処理モジュール２２０は、さらに、
配置情報に基づいて、対象ビームに対応するビーム失敗検出のタイマーに対して、タイマーを起動させる操作、タイマーを再起動させる操作、タイマーを停止させる操作のうちの１つを実行するための第５の処理サブモジュールをさらに備える。
ここで、処理モジュール２２０は、配置情報に基づいて、対象ビームに対応するビーム失敗検出のカウンタをリセットするための第６の処理サブモジュールをさらに備える。
【００４１】
なお、本開示の実施例に係る端末は、ビーム失敗検出タイマー及び／又はカウンタが対象ビームに対応することにより、ビーム失敗検出の正確率を向上させ、利用可能なビームが利用不可能であると誤判断されることによるリソース浪費を避けることができる。
【００４２】
上記の目的をよりよく実現するために、図３は、本発明の実施例を実現する端末のハードウェア構成を示す図であり、端末３０は、無線周波数ユニット３１、ネットワークモジュール３２、音声出力ユニット３３、入力ユニット３４、センサ３５、表示ユニット３６、ユーザ入力ユニット３７、インタフェースユニット３８、メモリ３９、プロセッサ３１０、電源３１１を備えるが、これらに限定されない。当業者は、図３に示される端末の構造が端末の限定にならないこと、端末が、示されるよりも多いまたは少ない構成要素を含み得ること、または、いくつかの構成要素を組み合わせること、または異なる構成要素を含むことができることを理解できる。本開示の実施例において、端末は、携帯電話、タブレット、ラップトップ、パームトップ、車載端末、ウェアラブル、及び歩数計などを含むが、これらに限定されない。
【００４３】
そのうち、無線周波数ユニット３１は、ビーム失敗検出のための配置情報を受信するために用いられる。
プロセッサ３１０は、配置情報に基づいて、対象ビームに対応するビーム失敗検出のタイマー及び／又はカウンタに対してプリセット操作を行うために用いられる。ここで、対象ビームは、端末がサポートするビームの何れか１つ、または端末がサポートする帯域幅部分ＢＷＰに対応するビームである。
【００４４】
本開示の実施例に係る端末は、ビーム失敗検出タイマー及び／又はカウンタが対象ビームに対応し、ビーム失敗検出の正確率を向上させ、利用可能なビームが利用不可能であると誤って判断されることによるリソースの浪費を回避することができる。
【００４５】
なお、本開示の実施例において、無線周波数ユニット３１は、情報の送受信、又は通話中における信号の送受信を行うために用いられることができる。具体的には、基地局からの下りデータを受信した後、プロセッサ３１０に処理させる。また、上りのデータを基地局に送信する。一般に、無線周波数ユニット３１は、アンテナ、少なくとも１つの増幅器、トランシーバ、結合器、低雑音増幅器、デュプレクサなどを含むが、これらに限定されない。また、無線周波数ユニット３１は、無線通信システムによりネットワークや他の機器と通信することも可能である。
【００４６】
端末は、ネットワークモジュール３２を介して、ユーザに、電子メールの送受信、ウェブページの閲覧、ストリーミングメディアへのアクセスなどのワイヤレスブロードバンドインターネットアクセスを提供する。
音声出力ユニット３３は、無線周波数ユニット３１やネットワークモジュール３２が受信した音声データや、メモリ３９に記憶された音声データを音声信号に変換して音声として出力することができる。また、音声出力ユニット３３は、端末３０が実行する特定の機能に関する音声出力（例えば、呼出信号の着信音、メッセージの着信音など）を行うこともできる。音声出力ユニット３３は、スピーカ、ブザー、及び受話器などを含む。
【００４７】
入力ユニット３４は、音声信号または映像信号を入力するために用いられる。入力ユニット３４は、グラフィックプロセッサー（Ｇｒａｐｈｉｃｓ  Ｐｒｏｃｅｓｓｉｎｇ  Ｕｎｉｔ、ＧＰＵ）３４１とマイク３４２を含み、ＧＰＵ３４１は、ビデオ撮影モードまたは画像撮影モードでカメラなどの撮影装置によって撮影された静止画像または動画画像の画像データを処理する。処理された画像フレームは、表示ユニット３６に表示されてもよい。グラフィックプロセッサー３４１によって処理された画像フレームは、メモリ３９（または他の記憶媒体）に記憶されるか、または無線周波数ユニット３１もしくはネットワークモジュール３２を介して送信されてもよい。マイクロフォン３４２は、音声を受信し、当該音声を音声データとして処理することができる。処理された音声データは、通話モードの場合、無線周波数ユニット３１を介して移動通信基地局に送信可能なフォーマットに変換されて出力される。
【００４８】
端末３０は、光センサ、モーションセンサ、及び他のセンサなどのような少なくとも１つのセンサ３５をさらに含む。具体的には、光センサは、周辺光の明暗によって表示パネル３６１の輝度を調節することができる周辺光センサと、端末３０が耳元に移動すると表示パネル３６１及び／又はバックライトを消灯することができる近接センサとを含む。モーションセンサの１つとして、加速度計センサは、様々な方向（一般的には３軸）の加速度の大きさを検出し、静止時に重力の大きさ及び方向を検出することができ、端末の姿勢（例えば、縦横画面の切り替え、関連するゲーム、磁力計の姿勢較正など）、振動認識関連機能（例えば、歩数計、タップ）などを識別するために使用されてもよい。センサ３５は、指紋センサ、圧力センサ、虹彩センサ、分子センサ、ジャイロスコープ、気圧計、湿度計、温度計、赤外線センサなどをさらに含んでもよいが、ここでその説明は省略する。
【００４９】
表示ユニット３６は、ユーザが入力した情報やユーザに提供する情報を表示するためのものである。表示ユニット３６は、表示パネル３６１を含み、表示パネル３６１は、ＬＣＤ（Liquid  Crystal  Display）、ＯＬＥＤ（（Organic  Light-Emitting  Diode）などの形態で実現される。
ユーザ入力ユニット３７は、数字や文字の入力を受け付け、端末のユーザ設定や機能制御に関するキー信号入力の生成を行うために用いられる。具体的には、ユーザ入力ユニット３７は、タッチパネル３７１と、他の入力装置３７２とを含むことができる。タッチパネル３７１は、タッチスクリーンとも呼ばれ、ユーザがタッチパネル３７１上またはその付近で行うタッチ操作（例えば、ユーザが指やスタイラス等を用いてタッチパネル３７１上またはタッチパネル３７１の付近で行う操作）を受け付ける。タッチパネル３７１は、タッチ検出装置とタッチコントローラとの２つの部分を備えてもよい。タッチ検出装置は、ユーザのタッチ方位を検出し、タッチ操作による信号を検出して、信号をタッチコントローラに伝送する。タッチコントローラは、タッチ検出装置からタッチ情報を受信し、それをタッチ点座標に変換して、プロセッサ３１０に送り、プロセッサ３１０からのコマンドを受信して実行する。また、タッチパネル３７１は、抵抗式、静電容量式、赤外線、表面弾性波等の複数のタイプにより実現することができる。ユーザ入力ユニット３７は、タッチパネル３７１の他に、他の入力装置３７２をさらに備えてもよい。具体的には、他の入力装置３７２は、物理キーボード、機能キー（例えば、音量調節ボタン、スイッチボタン等）、トラックボール、マウス、ジョイスティックを含むことができるが、これらに限定されない。
【００５０】
また、タッチパネル３７１は、表示パネル３６１に重ねられ、タッチパネル３７１上またはその付近でタッチ操作が検出されると、プロセッサ３１０に送信してタッチイベントの種類を判定し、その後、プロセッサ３１０は、タッチイベントの種類に応じて表示パネル３６１上に対応する視覚出力を提供する。図３では、タッチパネル３７１と表示パネル３６１が、端末の入力機能及び出力機能を実現するために、互いに独立した２つの構成要素として示されているが、実施例によっては、タッチパネル３７１と表示パネル３６１が一体化されて端末の入出力機能を実現することもでき、特に制限はない。
【００５１】
インターフェースユニット３８は、外部デバイスと端末３０とを接続するためのインターフェースである。例えば、外部デバイスは、有線または無線ヘッドフォンポート、外部電源（またはバッテリチャージャ）ポート、有線または無線データポート、メモリカードポート、識別モジュールを有するデバイスを接続するためのポート、オーディオ入出力（Ｉ／Ｏ）ポート、ビデオＩ／Ｏポートヘッドフォンポートなどを含むことができる。インターフェース部３８は、外部デバイスから入力（例えば、データ情報、電力など）を受信し、受信した入力を端末３０内の１つ以上の要素に伝送するために用いられてもよく、または端末３０と外部デバイスとの間でデータを伝送するために用いられてもよい。
【００５２】
メモリ３９は、ソフトウェアプログラムや各種データを記憶するために用いられる。メモリ３９は、オペレーティングシステム、サウンド再生機能、イメージ再生機能などの少なくとも１つの機能に必要なアプリケーションなどを記憶するプログラム記憶領域と、携帯電話機の使用に応じて作成されたデータ（例えば、音声データ、電話帳等）を記憶するデータ記憶領域とを主に含むことができる。また、メモリ３９は、高速ランダムアクセスメモリを含んでもよく、少なくとも１つのディスク記憶デバイス、フラッシュメモリデバイスなどの不揮発性メモリ、または他の揮発性固体記憶デバイスを含んでもよい。
【００５３】
プロセッサ３１０は、端末全体の各部を各種インターフェース及び回線で接続し、メモリ３９に格納されたソフトウェアプログラムやモジュールを実行又は実現し、メモリ３９に格納されたデータを呼び出すことで、端末の各種機能や処理データを実行し、端末全体をモニタリングする端末の制御センタである。プロセッサ３１０は、１つ以上の処理ユニットを含んでもよく、オプションとして、プロセッサ３１０は、オペレーティングシステム、ユーザインターフェース、アプリケーションなどを主に処理するアプリケーションプロセッサと、ワイヤレス通信を主に処理するモデムプロセッサとを統合することができる。なお、上記のモデムプロセッサは、プロセッサ３１０に統合されていなくてもよい。
【００５４】
端末３０は、様々な構成要素に電力を供給するための電源３１１（例えば、バッテリ）をさらに含んでもよく、オプションとして、電源３１１は、電力管理システムを介してプロセッサ３１０に論理的に接続されてもよい。これにより、電力管理システムを介して、充電、放電、及び消費電力管理などを管理する機能を実現することができる。
また、端末３０は、いくつかの図示しない機能ブロックを含むが、ここではその説明を省略する。
【００５５】
オプションとして、本開示の実施例は、プロセッサ３１０と、メモリ３９と、メモリ３９に記憶され、プロセッサ３１０上で実行可能なプログラムと、を備える端末をさらに提供し、プログラムは、プロセッサ３１０によって実行されることで、上記のビーム失敗検出方法の実施例の各プロセスを実現し、同様の技術的効果をもたらすことができるが、重複を避けるために、ここではその説明を省略する。ここで、端末は、無線端末でも有線端末でもよく、無線端末は、ユーザに音声及び／又は他のトラフィックデータ連結性を提供するデバイスであってもよく、無線接続機能を有するハンドヘルドデバイス、又は無線モデムに接続される他の処理デバイスを備えてもよい。無線端末は、無線アクセスネットワーク（Ｒａｄｉｏ  Ａｃｃｅｓｓ  Ｎｅｔｗｏｒｋ、ＲＡＮ）を介して１つまたは複数のコアネットワークと通信することができ、無線端末は、携帯電話（または「セルラー」電話と呼ばれる）などのモバイル端末や、例えば、携帯、ポケットサイズ、ハンドヘルド、コンピュータ内蔵、または車両搭載のモバイルデバイスなどのモバイル端末を有するコンピュータとであってもよく、無線アクセスネットワークと言語及び／又はデータを交換する。例えば、パーソナル通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）などのデバイスである。無線端末は、システム、サブスクライバユニット（Ｓｕｂｓｃｒｉｂｅｒ  Ｕｎｉｔ）、サブスクライバステーション（Ｓｕｂｓｃｒｉｂｅｒ  Ｓｔａｔｉｏｎ）、移動局（Ｍｏｂｉｌｅ）、遠隔局（Ｒｅｍｏｔｅ  Ｓｔａｔｉｏｎ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ機器（Ｕｓｅｒ  Ｄｅｖｉｃｅ  ｏｒ  Ｕｓｅｒ  Ｅｑｕｉｐｍｅｎｔ）と呼ばれてもよいが、ここでは限定しない。
【００５６】
本開示の実施例は、プロセッサにより実行されると、上記のビーム失敗検出方法の実施例の各プロセスを実現し、且つ同じ技術的効果を達成するプログラムが記憶されているコンピュータ読み取り可能な記憶媒体をさらに提供し、重複を避けるため、ここではその説明を省略する。ここで、コンピュータ読み取り可能な記憶媒体は、例えば、リードオンリーメモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク、又は光ディスク等である。
【００５７】
以上の実施例は、本発明のビーム失敗検出方法を端末側から説明したが、以下の実施例では、ネットワーク機器側の情報配置方法について、さらに図を組み合わせて説明する。
図４に示すように、本開示の実施例に係る情報配置方法は、ネットワーク機器側に適用され、以下のステップを含んでもよい。
ステップ４１：ビーム失敗検出のための配置情報を送信する。
ここで、配置情報は、対象ビームに対応するビーム失敗検出のタイマー及び／又はカウンタを指示するために用いられる。対象ビームは、端末がサポートするビームの何れか１つ、又は端末がサポートする帯域幅部分ＢＷＰに対応するビームである。すなわち、配置情報中のビーム失敗検出のためのタイマーは、端末がサポートするビームの１つに対応するか、または、端末がサポートするＢＷＰに対応するビームに対応する。配置情報におけるビーム失敗検出のためのカウンタは、端末がサポートするビームの１つに対応するか、または、端末がサポートするＢＷＰに対応のビームに対応する。このように、ビーム失敗検出のためのタイマー及び／又はタイマーは、より少ない数のビームに対応し、ビーム失敗検出の正確率を向上させ、利用可能なビームが利用不可能であると誤判定されることによるリソースの浪費を回避することができる。
【００５８】
以下、本実施形態では、情報配置方法について、異なるシナリオを用いてさらに説明する。
シナリオ１において、配置情報がネットワーク機器の最初の配置である場合、すなわち、ネットワーク機器が初めてビーム失敗検出のために端末に配置された配置情報である場合、配置情報は、
例えば失敗検出インスタンスの最大回数のような、ビーム失敗検出のタイマー構成を指示するためのタイマー情報と、
例えば失敗検出時間のような、ビーム失敗検出のカウンタ構成を指示するためのカウンタ情報と、
タイマー情報に対応するＢＷＰを指示するための、タイマー情報に対応するＢＷＰ識別情報（そのうち、１つのＢＷＰは１つの独立したタイマーに対応し、異なるＢＷＰに対応するタイマーの数値は同じであってもよいし、異なっていてもよい。）と、
カウンタ情報に対応するＢＷＰを指示するための、カウンタ情報に対応するＢＷＰ識別情報（そのうち、１つのＢＷＰは１つの独立したカウンタに対応し、異なるＢＷＰに対応するカウンタの数値は同じであってもよいし、異なっていてもよい。すなわち、異なるＢＷＰに対応するビーム失敗検出インスタンスの最大回数は同じであってもよいし、異なっていてもよい。）と、
タイマー情報に対応するビームを指示するための、タイマー情報に対応するビーム識別情報、言い換えれば、ビーム失敗検出配置情報におけるビーム失敗検出タイマー構成に対応するビーム識別子（そのうち、１つのビームは１つの独立したタイマーに対応し、異なるビームに対応するタイマーの数値は同じであってもよいし、異なっていてもよい。）と、
カウンタ情報に対応するビームを指示するための、カウンタ情報に対応するビーム識別情報、言い換えれば、ビーム失敗検出配置情報におけるビーム失敗検出カウンタ構成に対応するビーム識別子（そのうち、１つのビームは１つの独立したカウンタに対応し、異なるビームに対応するカウンタの数値は同じであってもよいし、異なっていてもよい。すなわち、異なるビームに対応するビーム失敗検出インスタンスの最大回数は同じであってもよいし、異なっていてもよい。）と、
のうちの少なくとも１つを含むことができる。
【００５９】
ここで、ビーム識別情報は、
例えばＳＳＢ識別子のような同期信号ブロック（Ｓｙｎｃｈｒｏｎｏｕｓ  Ｓｉｇｎａｌ  Ｂｌｏｃｋ、ＳＳＢ）識別情報と、
例えばＣＳＩ−ＲＳ識別のようなチャネル状態情報基準信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ）識別情報と、
ビーム間の空間的関係配置識別情報と、
の少なくとも１つを含むことができる。
【００６０】
空間的関係配置情報は、伝送構成インジケーター情報（Ｔｒａｎｓｍｉｓｓｉｏｎ  Ｃｏｎｆｉｇｕｒａｔｉｏｎ  Ｉｎｄｉｃａｔｏｒ、ＴＣＩ）または擬似コロケーション（Ｑｕａｓｉ−ｃｏ  Ｌｏｃａｔｉｏｎ、ＱＣＬ）関係情報を含むが、これらに限定されない。ここで、擬似コロケーション関係は、異なるビーム間のドップラー周波数オフセット、ドップラー拡散、平均遅延、遅延拡散、及び空間受信パラメータのうちの少なくとも１つが擬似コロケーションにあることを指示する。
【００６１】
ここで、上記ＢＷＰ識別情報が指示するＢＷＰは、活性化ＢＷＰまたは非活性化ＢＷＰであり、上記ビーム識別情報が指示するビームは、サービングビーム（または活性化ビームとも呼ばれる）または非サービングビーム（または非活性化ビームとも呼ばれる）である。
【００６２】
シナリオ２において、配置情報がネットワーク機器に再度配置された場合、すなわち、ネットワーク機器がビーム失敗検出のための配置情報を最初に端末に配置するのではない場合、当該再度配置プロセスは、ビーム失敗検出のための配置の更新プロセスである。例えば、ビーム失敗検出のためのある配置情報を削除もしくは追加するか、または、前回の配置情報における１つ以上のパラメータを再度配置するなどである。リソースオーバーヘッドを低減するために、配置情報には、変動のあるパラメータのみが携帯され、全ての構成が携帯される必要はない。オプションとして、配置情報は、
例えば、同じ１つの無線リソース制御（Ｒａｄｉｏ  Ｒｅｓｏｕｒｃｅ  Ｃｏｎｔｒｏｌ，ＲＲＣ）配置メッセージからセルを削除または追加するような、当該ビーム失敗検出の配置に対応するセルを削除して再追加することを指示するために用いられる削除または追加されたセル識別情報と、
例えば、同じＲＲＣ配置メッセージからＢＷＰを削除又は追加するような、当該ビーム失敗検出の配置に対応するＢＷＰを削除し再追加することを指示するために用いられる削除又は追加されたＢＷＰ識別情報と、
例えば、同じＲＲＣの配置メッセージからビームを削除または追加するような、当該ビーム失敗検出の配置に対応するビームを削除して追加することを指示するために用いられる削除または追加されたビーム識別情報と
のうちの少なくとも１つを含むことができる。
【００６３】
配置情報を削除する指示情報は、元の配置情報を削除することを指示するために用いられる。
配置情報を追加する指示情報は、元の配置情報に新たな配置情報を追加することを指示するものである。
配置情報における目標パラメータ値の更新情報は、元の配置情報において変更が必要な目標パラメータ及び変更後の目標パラメータ値の更新情報は、例えば、タイマーの時間長を変更したり、カウンタの最大値を変更したりすることなど、元の配置情報に変更が必要な目標パラメータ及び変更後の目標パラメータ値を指示するために用いられる。
ＢＷＰの変更を行う指示情報は、端末に対してＢＷＰの変更を指示するために用いられる。ここで、ＢＷＰ変更方式には、ＢＷＰのスイッチング、すなわち、１つのＢＷＰを活性化し、同時に他の１つのＢＷＰを非活性化すること、あるいは、あるビーム失敗検出タイマーに対応するＢＷＰを非活性化にするか、あるいは、あるビーム失敗検出タイマーに対応のＢＷＰを活性化にすることなどが含まれるが、これに限定されない。
【００６４】
また、ビームの変更を行う指示情報は、端末に対してビーム変更を指示するために用いられる。ここで、ビーム変更方式は、ＰＤＣＣＨ又はＭＡＣ  ＣＥを介して新たなサービス（又は活性化）を指示するビーム識別子などの、サービス（又は活性化）を指示するビーム識別子変更指示情報をネットワーク機器が端末に送信することを含むが、これに限定されない。
【００６５】
本開示の実施例に係る情報配置方法では、ネットワーク機器は、ビーム失敗検出のための配置情報を端末に送信することによって、利用可能なビームが利用不可能であると誤って判断されることによるリソースの浪費を回避し、ビーム失敗検出の正確率を向上させることができる。
【００６６】
上記の実施例は、異なるシナリオにおける情報配置方法をそれぞれ詳細に説明したが、以下の実施例は、さらに、それに対応するネットワーク機器を図面と組み合わせて説明する。
図５に示すように、本開示の実施例に係るネットワーク機器５００は、上記実施例におけるビーム失敗検出のための配置情報の送信方法の詳細を実現することができ、同様の効果を奏する。ネットワーク機器５００は、具体的には、
端末がサポートするビームの何れか１つ、または端末がサポートする帯域幅ＢＷＰに対応するビームである対象ビームに対応するビーム失敗検出のタイマー及び／又はカウンタを指示するための配置情報であって、ビーム失敗検出のための配置情報を送信するための送信モジュール５１０、を備える。
【００６７】
配置情報がネットワーク機器に最初で配置される場合、配置情報は、
タイマー情報と、
カウンタ情報と、
タイマー情報に対応するＢＷＰ識別情報と、
カウンタ情報に対応するＢＷＰ識別情報と、
タイマー情報に対応するビーム識別情報と、
カウンタ情報に対応するビーム識別情報と、
の少なくとも１つを含む。
【００６８】
ここで、ビーム識別情報は、同期信号ブロックＳＳＢ識別情報、チャネル状態情報基準信号ＣＳＩ−ＲＳ識別情報、ビーム間の空間関係配置識別情報のうちの少なくとも１つを含む。
ここで、ＢＷＰ識別情報が示すＢＷＰは、活性化ＢＷＰまたは非活性化ＢＷＰであり、ビーム識別情報が示すビームは、サービングビームまたは非サービングビームである。
ここで、配置情報がネットワーク機器に再度配置される場合、配置情報は、
削除または追加されたセル識別情報と、
削除または追加されたＢＷＰ識別情報と、
削除または追加されたビーム識別情報と、
配置情報を削除する指示情報と、
配置情報を追加する指示情報と、
配置情報における目標パラメータ値の更新情報と、
ＢＷＰの変更を行う指示情報と、
ビームの変更を行う指示情報と、
の少なくとも１つを含む。
【００６９】
なお、以上の端末の各モジュールの仕分けは、あくまでも論理的な機能上の仕分けであって、実際に実現するときは、その全部または一部を１つの物理的実体に統合することも、物理的に分離することも可能である。これらのモジュールは、全て処理要素で呼び出される形態でソフトウェアによって実装されてもよく、全てハードウェアとして実現されてもよい。また、一部のモジュールは処理要素がソフトウェアを呼び出す形で実現され、一部のモジュールはハードウェアの形で実現されてもよい。例えば、特定モジュールは、個別に設けられた処理要素であってもよいし、上記装置のいずれかのチップに集積されて実現されてもよいし、または、プログラムコードの形態で上記装置のメモリに格納され、上記装置のいずれかの処理要素によって上記特定モジュールの機能が呼び出されて実行されてもよい。他のモジュールの実装も同様である。また、これらのモジュールの全部または一部は、一体に形成されていてもよいし、独立して形成されていてもよい。ここでいう処理要素とは、信号の処理能力を有する集積回路であってもよい。実装において、上記方法のステップまたは上記のモジュールは、処理要素におけるハードウェアに集積論理回路が統合されるかまたはソフトウェアの形態の命令によって実現されてもよい。
【００７０】
例えば、これらのモジュールは、例えば、１つまたは複数の特定の集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、或いは、１つまたは複数のマイクロプロセッサ（ｄｉｇｉｔａｌ  ｓｉｇｎａｌ  ｐｒｏｃｅｓｓｏｒ：ＤＳＰ）、或いは、１つまたは複数のフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ）などの、上記の方法を実行するように構成された１つまたは複数の集積回路であってもよい。また、上記のあるモジュールが処理要素がプログラムコードを呼び出すことで実現された場合、当該処理要素は、例えば、ＣＰＵ（Ｃｅｎｔｒａｌ  Ｐｒｏｃｅｓｓｉｎｇ  Ｕｎｉｔ）、或いはプログラムコードを呼び出すことができる他のプロセッサのような汎用プロセッサであってもよい。また、例えば、システムオンチップ（ｓｙｓｔｅｍ−ｏｎ−ａ−ｃｈｉｐ、ＳＯＣ）の形態で、これらのモジュールを一体に統合して実現することもできる。
【００７１】
なお、本開示の実施形態のネットワーク機器は、タイマー及び／又はカウンタがより少ない数のビームに対応する、ビーム失敗検出のための配置情報を端末に送信することによって、利用可能なビームが利用不可能であると誤って判断されることによるリソースの浪費を避け、ビーム失敗検出の精度を向上させることができる。
【００７２】
また、上記目的を達成するために、本開示の実施例は、プロセッサと、メモリと、メモリに記憶され、プロセッサ上で実行可能なプログラムとを備え、プロセッサがプログラムを実行すると、上記情報配置方法のステップを実現するネットワーク機器をさらに提供する。本発明の実施例は、プロセッサによって実行されるとき、上記の情報配置方法のステップを実施するプログラムが記憶されているコンピュータ可読記憶媒体をさらに提供する。
【００７３】
具体的には、本開示の実施例は、ネットワーク機器をさらに提供する。図６に示すように、当該ネットワーク機器６００は、アンテナ６１と、無線周波数装置６２と、ベースバンド装置６３とを備える。アンテナ６１は、無線周波数装置６２と接続されている。上り方向では、無線周波数装置６２がアンテナ６１を介して情報を受信し、ベースバンド装置６３に送って処理を行う。下り方向では、ベースバンド装置６３が送信すべき情報を処理して無線周波数装置６２に送り、無線周波数装置６２は、受け取った情報を処理してアンテナ６１から送信する。
上記の帯域処理装置は、プロセッサ６４及びメモリ６５を含むベースバンド装置６３に配置されてもよく、上記の実施例でネットワーク機器によって実行される方法は、ベースバンド装置６３によって実現されてもよい。
【００７４】
ベースバンド装置６３は、例えば、図６に示すように、複数のチップが配置された少なくとも１つのベースバンドプレートを有し、そのうちの１つのチップは、例えば、メモリ６５に接続され、メモリ６５内のプログラムを呼び出して、上記方法の実施例に示したネットワーク機器の操作を実行するプロセッサ６４である。
ベースバンド装置６３は、例えば、共通の無線インタフェース（ｃｏｍｍｏｎ  ｐｕｂｌｉｃ  ｒａｄｉｏ  ｉｎｔｅｒｆａｃｅ，ＣＰＲＩとも略称する）である、無線周波数装置６２と情報をやりとりするためのネットワークインタフェース６６をさらに含むことができる。
【００７５】
ここで、プロセッサは、１つのプロセッサであってもよいし、複数の処理要素の総称であってもよい。例えば、当該プロセッサは、ＣＰＵであってもよく、ＡＳＩＣであってもよく、または、上記ネットワーク機器によって実行される方法を実施するように構成された１つまたは複数の集積回路であってもよい。例えば、１つまたは複数のマイクロプロセッサＤＳＰ、または、１つまたは複数のフィールドプログラマブルゲートアレイＦＰＧＡなどであってもよい。記憶素子は、１つのメモリであってもよいし、複数の記憶素子の総称であってもよい。
【００７６】
メモリ６５は、揮発性メモリ又は不揮発性メモリであってもよく、又は揮発性メモリ及び不揮発性メモリの両方を含んでもよい。不揮発性メモリは、リードオンリーメモリ（Ｒｅａｄ−Ｏｎｌｙ  Ｍｅｍｏｒｙ、ＲＯＭと略称する）、プログラマブルリードオンリーメモリ（Ｐｒｏｇｒａｍｍａｂｌｅ  ＲＯＭ、ＰＲＯＭと略称する）、消去可能プログラマブルリードオンリーメモリ（Ｅｒａｓａｂｌｅ  ＰＲＯＭ、ＥＰＲＯＭと略称する）、電気的に消去可能プログラマブルリードオンリーメモリ（Ｅｌｅｃｔｒｉｃａｌｌｙ  ＥＰＲＯＭ、ＥＥＰＲＯＭと略称する）、或いは、、フラッシュメモリであってもよい。揮発性メモリは、外部キャッシュとして使用されるランダムアクセスメモリ（Ｒａｎｄｏｍ  Ａｃｃｅｓｓ  Ｍｅｍｏｒｙ、ＲＡＭと略称する）であってもよい。例示ではあるが限定ではない説明により、多くの形態のＲＡＭが利用可能である。例えば、スタティックランダムアクセスメモリ（Ｓｔａｔｉｃ  ＲＡＭ、ＳＲＡＭと略称する）、ダイナミックランダムアクセスメモリ（Ｄｙｎａｍｉｃ  ＲＡＭ、ＤＲＡＭと略称する）、同期ダイナミックランダムアクセスメモリ（Ｓｙｎｃｈｒｏｎｏｕｓ  ＤＲＡＭ、ＳＤＲＡＭと略称する）、２倍データレート同期ダイナミックランダムアクセスメモリ（Ｄｏｕｂｌｅ  Ｄａｔａ  Ｒａｔｅ  ＳＤＲＡＭ、ＤＤＲＳＤＲＡＭと略称する）、拡張型同期ダイナミックランダムアクセスメモリ（Ｅｎｈａｎｃｅｄ  ＳＤＲＡＭ、ＥＳＤＲＡＭと略称する）、同期接続ダイナミックランダムアクセスメモリ（Ｓｙｎｃｈｌｉｎｋ  ＤＲＡＭ、ＳＬＤＲＡＭと略称する）、及び、ダイレクトメモリバスランダムアクセスメモリ（Ｄｉｒｅｃｔ  Ｒａｍｂｕｓ  ＲＡＭ、ＤＲＲＡＭと略称する）である。本明細書に記載のメモリ６５は、これら及び任意の他の適切なタイプのメモリを含むことを意図しているが、これらに限定されない。
【００７７】
具体的には、本開示の実施例に係るネットワーク機器は、メモリ６５に格納され、プロセッサ６４上で実行可能なプログラムをさらに備え、プロセッサ６４は、メモリ６５内のプログラムを呼び出して、図５に示す各モジュールによって実行される方法を実行する。
【００７８】
具体的には、プロセッサ６４によって呼び出されたプログラムは、端末がサポートするビームの何れか１つ、または端末がサポートする帯域幅部分ＢＷＰに対応するビームである対象ビームに対応するビーム失敗検出のためのタイマー及び／又はカウンタを指示するための、ビーム失敗検出のための配置情報を送信することを実行するために使用される。
ここで、配置情報がネットワーク機器に最初に配置される場合、配置情報は、
タイマー情報と、
カウンタ情報と、
タイマー情報に対応するＢＷＰ識別情報と、
カウンタ情報に対応するＢＷＰ識別情報と、
タイマー情報に対応するビーム識別情報と、
カウンタ情報に対応するビーム識別情報と、
の少なくとも１つを含む。
【００７９】
ここで、ビーム識別情報は、同期信号ブロックＳＳＢ識別情報、チャネル状態情報基準信号ＣＳＩ−ＲＳ識別情報、ビーム間の空間関係配置識別情報のうちの少なくとも１つを含む。
ここで、ＢＷＰ識別情報が示すＢＷＰは、活性化ＢＷＰまたは非活性化ＢＷＰであり、ビーム識別情報が示すビームは、サービングビームまたは非サービングビームである。
【００８０】
ここで、配置情報がネットワーク機器に再度配置される場合、配置情報は、
削除または追加されたセル識別情報と、
削除または追加されたＢＷＰ識別情報と、
削除または追加されたビーム識別情報と、
配置情報を削除する指示情報と、
配置情報を追加する指示情報と、
配置情報における目標パラメータ値の更新情報と、
ＢＷＰの変更を行う指示情報と、
ビームの変更を行う指示情報と、
の少なくとも１つを含む。
【００８１】
そのうち、ネットワーク機器は、グローバルモバイルコミュニケーション（Ｇｌｏｂａｌ  Ｓｙｓｔｅｍ  ｏｆ  Ｍｏｂｉｌｅ  ｃｏｍｍｕｎｉｃａｔｉｏｎ，ＧＳＭと略称する）又はコード分割多重アクセス（Ｃｏｄｅ  Ｄｉｖｉｓｉｏｎ  Ｍｕｌｔｉｐｌｅ  Ａｃｃｅｓｓ，ＣＤＭＡと略称する）における基地局（Ｂａｓｅ  Ｔｒａｎｓｃｅｉｖｅｒ  Ｓｔａｔｉｏｎ，ＢＴＳと略称する）でもよく、ワイドバンドコード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡと略称する）における基地局（ＮｏｄｅＢ，ＮＢコード分割多重アクセス）でもよく、ＬＴＥにおける進化型基地局（Ｅｖｏｌｕｔｉｏｎａｌ  Ｎｏｄｅ  Ｂ，ｅＮＢ又はｅＮｏｄｅＢと略称する）でもよく、或いは中継局又はアクセスポイントでもよく、或いは将来の５Ｇネットワークにおける基地局等でもよく、ここでは限定しない。
【００８２】
本開示の実施例におけるネットワーク機器は、より少ない数のビームに対応するタイマー及び／又はカウンタを指示する、ビーム失敗検出のための配置情報を端末に送信することによって、ビーム失敗検出の精度を向上させ、利用可能なビームが利用不可能であると誤って判断されることによるリソースの浪費を回避することができる。
【００８３】
当業者は、本明細書に開示された実施例で説明された各例のユニット及びアルゴリズムステップが、電子ハードウェア、又はコンピュータソフトウェアと電子ハードウェアとの組合せで実現可能であることを認識できる。これらの機能がハードウェアで実行されるか、或いはソフトウェアで実行されるかは、技術案の特定の適用例及び設計制約に依存する。当業者は、説明された機能を実施するために、特定の適用例ごとに異なる方法を使用してもよい。そのような実施は、本開示の範囲から逸脱するとみなされるべきではない。
当業者であれば、説明の便宜及び簡潔のために、上記説明したシステム、装置及びユニットの具体的な動作過程は、上記方法の実施例における対応するプロセスを参照してもよいと理解できるので、ここで、その説明は省略する。
【００８４】
本願により提供される実施例では、開示される装置及び方法は、他の形態で実施されてもよいことが理解されるべきである。例えば、上述した装置の実施例は単なる例示であり、例えば、説明されたユニットの仕分けは、論理機能による仕分けにすぎず、実際に実装される場合、他の仕分けを採用してもよい。例えば、複数のユニット又は構成要素が別のシステムに結合されるか、統合されてもよく、又は、一部の特徴が省略されても、実行されなくてもよい。別の点において、示された又は検討された相互の結合又は直接的な結合又は通信接続は、電気的、機械的又は他の形態の、何らかのインターフェース、装置又はユニットを介した間接的な結合又は通信接続されてもよい。
【００８５】
上記の分離手段として説明された手段は、物理的に分離されても、または分離されなくてもよく、手段として示された部材は、物理的なユニットであっても、または物理的なユニットではなくてもよい。すなわち、一箇所に位置してもよく、または複数のネットワーク要素に分散されてもよい。なお、本実施例の目的を達成するために、必要に応じて、その一部または全部を選択することができる。
【００８６】
また、本発明の各実施例における各機能部は、１つの処理ユニットに集積されていてもよいし、各機能部が物理的に別々に存在してもよいし、２以上の機能部が１つの処理ユニットに集積されてもよい。
また、これらの機能がソフトウェア機能ユニットとして実現され、独立した製品として販売または利用される場合には、コンピュータ読み取り可能な記録媒体に格納されてもよい。このような理解に基づいて、本開示の技術案は、本質的に、または、従来技術に貢献する部分、または、当該技術案の部分を、記憶媒体に記憶されているソフトウェア製品の形態で具体化することができ、そのソフトウェア製品は、本開示の様々な実施例で説明されるすべての方法あるいは一部のステップを、コンピュータ装置（パーソナルコンピュータ、サーバ、またはネットワーク機器などであってもよい）に実行させるための命令を含む。なお、上記の記憶媒体としては、Ｕディスク、モバイルハードディスク、ＲＯＭ、ＲＡＭ、磁気ディスク、光ディスクなど種々のプログラムコードを記憶できるものが含まれる。
【００８７】
さらに、本開示の装置及び方法において、各構成要素またはステップは、分解及び／又は再結合されることができる。これらの分解及び／又は再結合は、本開示の均等物とみなされるべきである。また、上述した一連の処理を実行するステップは、記載された順序に沿って時系列的に行われてもよいが、必ずしも時系列的に処理される必要はなく、一部のステップが並列的あるいはそれぞれ独立して実行されてもよい。当業者には理解されるように、本開示の方法及び装置の全て又は任意のステップ又は部材は、任意のコンピューティングデバイス（プロセッサ、記憶媒体等を含む）又はコンピューティングデバイスのネットワークにおいて、ハードウェア、ファームウェア、ソフトウェア又はそれらの組み合わせで実現されてもよく、これは、当業者が本開示の説明を読んだ上で、基本的なプログラミング技術を用いて実現できることである。
【００８８】
したがって、本発明の目的は、任意のコンピューティングデバイス上でプログラムまたはプログラム群を実行することによっても達成される。コンピューティングデバイスは、周知の汎用デバイスであってもよい。したがって、本発明の目的は、方法または装置を実現するプログラムコードを含むプログラム製品を提供することのみによって達成することができる。つまり、このようなプログラム製品も本開示を構成し、このようなプログラム製品が記憶されている記憶媒体も本開示を構成することになる。もちろん、記憶媒体は、公知の記憶媒体であってもよいし、将来開発されるいかなる記憶媒体であってもよい。また、本開示の装置及び方法において、各構成要素又は各ステップは、分解及び／又は再結合可能であることは明らかである。これらの分解及び／又は再結合は、本開示の均等物とみなされるべきである。また、上述した一連の処理を実行するステップは、記載された順序に沿って時系列的に行われてもよいが、必ずしも時系列的に処理される必要はない。いくつかのステップは、並列に、または互いに独立して実行されてもよい。
【００８９】
本開示の選択可能な実施例を上述したが、本開示に記載された原理から逸脱しないかぎり、いくつかの修正及び修飾を行うことも可能であり、このような修正及び修飾も本開示の保護範囲内に含まれることは当業者には理解できる。
【図１】
2021519030.tif 000003
【図２】
2021519030.tif 000004
【図３】
2021519030.tif 000005
【図４】
2021519030.tif 000006
【図５】
2021519030.tif 000007
【図６】
2021519030.tif 000008
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
端末側で用いられるビーム失敗検出方法であって、
ビーム失敗検出のための配置情報を受信するステップと、
前記配置情報に基づいて、対象ビームに対応するビーム失敗検出のタイマー及び／又はカウンタに対してプリセット操作を行うステップと、を備え、
前記対象ビームは、端末がサポートするビームの何れか１つ、または端末がサポートする帯域幅部分ＢＷＰに対応するビームである、
ビーム失敗検出方法。
【請求項２】
前記配置情報がネットワーク機器に最初で配置される場合、前記配置情報は、
タイマー情報と、
カウンタ情報と、
前記タイマー情報に対応するＢＷＰ識別情報と、
前記カウンタ情報に対応するＢＷＰ識別情報と、
前記タイマー情報に対応するビーム識別情報と、
前記カウンタ情報に対応するビーム識別情報と、
の少なくとも１つを含む、
請求項１に記載のビーム失敗検出方法。
【請求項３】
前記ビーム識別情報は、同期信号ブロックＳＳＢ識別情報、チャネル状態情報基準信号ＣＳＩ−ＲＳ識別情報、ビーム間の空間関係配置識別情報のうちの少なくとも１つを含む、
請求項２に記載のビーム失敗検出方法。
【請求項４】
前記ＢＷＰ識別情報が示すＢＷＰは、活性化ＢＷＰまたは非活性化ＢＷＰであり、
前記ビーム識別情報が示すビームは、サービングビームまたは非サービングビームである、
請求項２に記載のビーム失敗検出方法。
【請求項５】
前記配置情報に基づいて、対象ビームに対応するビーム失敗検出のタイマー及び／又はカウンタに対してプリセット操作を行うステップは、
物理層が前記対象ビームにビーム失敗インスタンスが発生したことを検出した場合、前記物理層を制御してビーム失敗指示情報を上位層に送信するステップと、
前記上位層は、前記ビーム失敗指示情報を受信すると、前記配置情報に基づいて、対象ビームに対応するビーム失敗検出のタイマー及び／又はカウンタに対してプリセット操作を行うステップとを含む、
請求項１または２に記載のビーム失敗検出方法。
【請求項６】
前記配置情報に基づいて、対象ビームに対応するビーム失敗検出のタイマー及び／又はカウンタに対してプリセット操作を行うステップは、
前記対象ビームにビーム失敗インスタンスが発生したことを検出した場合、前記対象ビームに対応するタイマーを起動または再起動するステップと、
前記対象ビームにビーム失敗インスタンスが発生したことを検出した場合、対象ビームに対応するカウンタを＋１または−１するように制御するステップと、を含む
請求項１または２に記載のビーム失敗検出方法。
【請求項７】
前記配置情報がネットワーク機器に再度配置される場合、前記配置情報は、
削除または追加されたセル識別情報と、
削除または追加されたＢＷＰ識別情報と、
削除または追加されたビーム識別情報と、
前記配置情報を削除する指示情報と、
前記配置情報を追加する指示情報と、
前記配置情報における目標パラメータ値の更新情報と、
ＢＷＰの変更を行う指示情報と、
ビームの変更を行う指示情報と、
の少なくとも１つを含む、
請求項１に記載のビーム失敗検出方法。
【請求項８】
前記配置情報に基づいて、対象ビームに対応するビーム失敗検出のタイマー及び／又はカウンタに対してプリセット操作を行うステップは、
前記配置情報に基づいて、前記対象ビームに対応するビーム失敗検出のタイマーが、
前記タイマーを起動すること、
前記タイマーを再始動すること、及び
前記タイマーを停止すること、
のうちの１つを実行する、
請求項７に記載のビーム失敗検出方法。
【請求項９】
前記配置情報に基づいて、対象ビームに対応するビーム失敗検出のタイマー及び／又はカウンタに対してプリセット操作を行うステップは、
前記配置情報に基づいて、前記ビームに対応するビーム失敗検出のカウンタをリセットする、
請求項７に記載のビーム失敗検出方法。
【請求項１０】
端末であって、
ビーム失敗検出のための配置情報を受信するための受信モジュールと
前記配置情報に基づいて、対象ビームに対応するビーム失敗検出のタイマー及び／又はカウンタに対してプリセット操作を行うための処理モジュールと、を備え、
前記対象ビームは、前記端末がサポートするビームの何れか１つ、または前記端末がサポートする帯域幅部分ＢＷＰに対応するビームである、
端末。
【請求項１１】
ネットワーク機器側で用いられる情報配置方法であって、
ビーム失敗検出のための配置情報を送信するステップを備え、
前記配置情報は、対象ビームに対応するビーム失敗検出のタイマー及び／又はカウンタを指示するための情報であり、
前記対象ビームは、端末がサポートするビームの何れか１つ、または端末がサポートする帯域幅ＢＷＰに対応するビームである、
情報配置方法。
【請求項１２】
前記配置情報がネットワーク機器に最初で配置される場合、前記配置情報は、
タイマー情報と、
カウンタ情報と、
前記タイマー情報に対応するＢＷＰ識別情報と、
前記カウンタ情報に対応するＢＷＰ識別情報と、
前記タイマー情報に対応するビーム識別情報と、
前記カウンタ情報に対応するビーム識別情報と、
の少なくとも１つを含む、
請求項１１に記載の情報配置方法。
【請求項１３】
前記配置情報がネットワーク機器に再度配置される場合、前記配置情報は、
削除または追加されたセル識別情報と、
削除または追加されたＢＷＰ識別情報と、
削除または追加されたビーム識別情報と、
前記配置情報を削除する指示情報と、
前記配置情報を追加する指示情報と、
前記配置情報における目標パラメータ値の更新情報と、
ＢＷＰの変更を行う指示情報と、
ビームの変更を行う指示情報と、
の少なくとも１つを含む、
請求項１１に記載の情報配置方法。
【請求項１４】
ビーム失敗検出のための配置情報を送信する送信モジュールを備え、
前記配置情報は、対象ビームに対応するビーム失敗検出のタイマー及び／又はカウンタを指示する情報であり、
前記対象ビームは、端末がサポートするビームの何れか１つ、または端末がサポートする帯域幅ＢＷＰに対応するビームである、
ネットワーク機器。
【請求項１５】
プロセッサによって実行されるとき、請求項１〜９のいずれか１項に記載のビーム失敗検出方法、又は請求項１１〜１３のいずれか１項に記載の情報配置方法のステップが実現されるプログラムが記憶されているコンピュータ読み取り可能な記憶媒体。
【国際調査報告】
2021519030.tif 000009
2021519030.tif 000010
2021519030.tif 000011
2021519030.tif 000012